(57)【要約】【課題】取り込んだ空気を清浄化するためのフィルタ部材（27,28）を備える調湿装置（10）について、その構成を複雑化させずにフィルタ部材（27,28）の目詰まりの状態を検出する。【解決手段】吸気湿度検出手段（65）の検出値及び給気湿度検出手段（66）の検出値に基づいてフィルタ部材（27,28）の目詰まりの状態を検出するフィルタ状態検出手段（63）を設ける。吸気湿度検出手段（65）及び給気湿度検出手段（66）は、調湿装置（10）の運転状態の制御に用いるものであり、フィルタ部材（27,28）の目詰まりの状態の検出にも用いるようにしている。【選択図】図１
2007010231.tif 000002
【特許請求の範囲】
【請求項１】
取り込んだ空気を清浄化するフィルタ部材（27,28）と、該フィルタ部材（27,28）を通過した空気と接触する吸着剤とを備え、取り込んだ空気を湿度調節して室内へ供給する調湿装置であって、
取り込む空気の湿度を計測する吸気湿度検出手段（65）と、
室内へ供給する空気の湿度を計測する給気湿度検出手段（66）と、
上記吸気湿度検出手段（65）の検出値及び上記給気湿度検出手段（66）の検出値に基づいて上記フィルタ部材（27,28）の目詰まりの状態を検出するフィルタ状態検出手段（63）とを備えていることを特徴とする調湿装置。
【請求項２】
請求項１において、
上記フィルタ状態検出手段（63）は、上記吸気湿度検出手段（65）の検出値及び上記給気湿度検出手段（66）の検出値に基づいて上記フィルタ部材（27,28）を通過する空気の風量を推測する風量推測部（64）を備え、上記フィルタ部材（27,28）の初期状態において上記風量推測部（64）が推測した風量と検出時点で上記風量推測部（64）が推測した風量とに基づいて上記フィルタ部材（27,28）の目詰まりの状態を検出することを特徴とする調湿装置。
【請求項３】
取り込んだ空気を清浄化するフィルタ部材（27,28）と、該フィルタ部材（27,28）を通過した空気と接触する吸着剤とを備え、取り込んだ空気を湿度調節すると共に温度調節して室内へ供給する調湿装置であって、
取り込む空気の温度を計測する吸気温度検出手段（65）と、
室内へ供給する空気の温度を計測する給気温度検出手段（66）と、
上記吸気温度検出手段（65）の検出値及び上記給気温度検出手段（66）の検出値に基づいて上記フィルタ部材（27,28）の目詰まりの状態を検出するフィルタ状態検出手段（63）とを備えていることを特徴とする調湿装置。
【請求項４】
請求項３において、
上記フィルタ状態検出手段（63）は、上記吸気温度検出手段（65）の検出値及び上記給気温度検出手段（66）の検出値に基づいて上記フィルタ部材（27,28）を通過する空気の風量を推測する風量推測部（64）を備え、上記フィルタ部材（27,28）の初期状態において上記風量推測部（64）が推測した風量と検出時点で上記風量推測部（64）が推測した風量とに基づいて上記フィルタ部材（27,28）の目詰まりの状態を検出することを特徴とする調湿装置。
【請求項５】
請求項１乃至４の何れか１つにおいて、
吸着剤を担持する吸着熱交換器（51,52）が接続されて冷凍サイクルを行う冷媒回路（50）を備え、該冷媒回路（50）の冷媒により上記吸着熱交換器（51,52）の吸着剤を加熱し又は冷却して該吸着剤に接触する空気の湿度及び温度を調節することを特徴とする調湿装置。
【発明の詳細な説明】
【技術分野】
【０００１】
本発明は、室内の湿度調節を行うための調湿装置に関するものである。
【背景技術】
【０００２】
従来より、吸着剤の水分の吸着又は脱離により室内の湿度調節を行う調湿装置が知られている。
【０００３】
例えば特許文献１には、取り込んだ室外空気を湿度調節して室内へ供給する調湿装置が開示されている。この調湿装置には、圧縮機と膨張弁と吸着剤を担持する吸着熱交換器とが接続された冷媒回路が設けられている。この調湿装置は、除湿運転と加湿運転とを切換可能に構成されている。除湿運転では、吸着熱交換器で蒸発する冷媒によって吸着剤が冷却され、吸着熱交換器を通過する空気中の水分が吸着剤に吸着される。加湿運転では、吸着熱交換器で凝縮する冷媒によって吸着剤が加熱され、吸着剤から脱離した水分が吸着熱交換器を通過する空気に付与される。
【特許文献１】特開２００４−２９４０４８号公報
【発明の開示】
【発明が解決しようとする課題】
【０００４】
ところで、上述したような調湿装置には、取り込んだ空気を清浄化するためにフィルタ部材が設けられる場合がある。フィルタ部材は、目詰まりが進行すると洗浄や交換が必要になる。そして、その洗浄や交換の時期を知らせることが出来れば便利である。従って、従来は、フィルタの目詰まりを検出するためのセンサ（例えば風速センサ）を調湿装置に設け、そのセンサの検出値に基づいてフィルタ部材の目詰まりの状態を検出していた。しかし、フィルタ部材の目詰まりを検出するためにセンサを設けると、その分だけ調湿装置の製作コストが増加するという問題があった。
【０００５】
本発明は、斯かる点に鑑みてなされたものであり、その目的とするところは、取り込んだ空気を清浄化するためのフィルタ部材を備える調湿装置について、その構成を複雑化させずにフィルタ部材の目詰まりの状態を検出することにある。
【課題を解決するための手段】
【０００６】
第１の発明は、取り込んだ空気を清浄化するフィルタ部材（27,28）と、該フィルタ部材（27,28）を通過した空気と接触する吸着剤とを備え、取り込んだ空気を湿度調節して室内へ供給する調湿装置（10）を前提とする。そして、取り込む空気の湿度を計測する吸気湿度検出手段（65）と、室内へ供給する空気の湿度を計測する給気湿度検出手段（66）と、上記吸気湿度検出手段（65）の検出値及び上記給気湿度検出手段（66）の検出値に基づいて上記フィルタ部材（27,28）の目詰まりの状態を検出するフィルタ状態検出手段（63）とを備えている。
【０００７】
第１の発明では、吸気湿度検出手段（65）が吸着剤に接触する前の空気すなわち湿度調節される前の空気の湿度を計測し、給気湿度検出手段（66）が湿度調節された後の空気の湿度を計測する。吸気湿度検出手段（65）の検出値及び上記給気湿度検出手段（66）の検出値からは、吸着剤に接触する前後における空気の湿度変化量が導かれる。
【０００８】
ここで、フィルタ部材（27,28）の目詰まりの状態は、吸着剤に接触する空気の風量に影響を与える。また、吸着剤に接触する空気の風量は、吸着剤とその吸着剤に接触する空気との間で授受される水分量に影響を与え、吸着剤に接触する前後における空気の湿度変化量に影響を与える。つまり、吸着剤に接触する空気の風量が減少すると、それに伴って吸着剤と接触する際の風速が低下する。風速が低下すると空気流の乱れも小さくなるため、空気と吸着剤との間で授受される水分量が減少してしまう。このように、吸着剤に接触する空気の風量と、空気と吸着剤との間で授受される水分量との間には相関がある。また、吸着剤と接触する空気の風量はフィルタ部材（27,28）を通過する空気の風量と同じであり、フィルタ部材（27,28）の目詰まりの程度によって変化する。そこで、この発明では、吸気湿度検出手段（65）の検出値及び上記給気湿度検出手段（66）の検出値に基づき、フィルタ部材（27,28）の目詰まりの状態を検出している。
【０００９】
第２の発明は、第１の発明において、上記フィルタ状態検出手段（63）は、上記吸気湿度検出手段（65）の検出値及び上記給気湿度検出手段（66）の検出値に基づいて上記フィルタ部材（27,28）を通過する空気の風量を推測する風量推測部（64）を備え、上記フィルタ部材（27,28）の初期状態において上記風量推測部（64）が推測した風量と検出時点で上記風量推測部（64）が推測した風量とに基づいて上記フィルタ部材（27,28）の目詰まりの状態を検出する。
【００１０】
第２の発明では、吸気湿度検出手段（65）の検出値及び上記給気湿度検出手段（66）の検出値から吸着剤に接触する前後における空気の湿度変化量が導かれる。上述したように、吸着剤に接触する前後における空気の湿度変化量からは、吸着剤に接触する空気の風量すなわちフィルタ部材（27,28）を通過する空気の風量が推測される。従って、フィルタ部材（27,28）の目詰まりの状態が、フィルタ部材（27,28）を通過する空気の風量から検出される。
【００１１】
第３の発明は、取り込んだ空気を清浄化するフィルタ部材（27,28）と、該フィルタ部材（27,28）を通過した空気と接触する吸着剤とを備え、取り込んだ空気を湿度調節すると共に温度調節して室内へ供給する調湿装置（10）を前提とする。そして、取り込む空気の温度を計測する吸気温度検出手段（65）と、室内へ供給する空気の温度を計測する給気温度検出手段（66）と、上記吸気温度検出手段（65）の検出値及び上記給気温度検出手段（66）の検出値に基づいて上記フィルタ部材（27,28）の目詰まりの状態を検出するフィルタ状態検出手段（63）とを備えている。
【００１２】
第３の発明では、吸気温度検出手段（65）が吸着剤に接触する前の空気すなわち温度調節される前の空気の温度を計測し、給気温度検出手段（66）が温度調節された後の空気の温度を計測する。吸気温度検出手段（65）の検出値及び上記給気温度検出手段（66）の検出値からは、吸着剤に接触する前後における空気の温度変化量が導かれる。
【００１３】
ここで、フィルタ部材（27,28）の目詰まりの状態は、吸着剤に接触する空気の風量に影響を与える。また、吸着剤に接触する空気の風量は、吸着剤とその吸着剤に接触する空気との間の熱交換量に影響を与え、吸着剤に接触する前後における空気の温度変化量に影響を与える。つまり、吸着剤に接触する空気の風量が減少すると、それに伴って吸着剤と接触する際の風速が低下する。風速が低下すると空気流の乱れも小さくなるため、空気と吸着剤との間の熱交換量が減少してしまう。このように、吸着剤に接触する空気の風量と、空気と吸着剤との間の熱交換量との間には相関がある。また、吸着剤と接触する空気の風量はフィルタ部材（27,28）を通過する空気の風量と同じであり、フィルタ部材（27,28）の目詰まりの程度によって変化する。そこで、この発明では、吸気温度検出手段（65）の検出値及び上記給気温度検出手段（66）の検出値に基づき、フィルタ部材（27,28）の目詰まりの状態を検出している。
【００１４】
第４の発明は、第３の発明において、上記フィルタ状態検出手段（63）は、上記吸気温度検出手段（65）の検出値及び上記給気温度検出手段（66）の検出値に基づいて上記フィルタ部材（27,28）を通過する空気の風量を推測する風量推測部（64）を備え、上記フィルタ部材（27,28）の初期状態において上記風量推測部（64）が推測した風量と検出時点で上記風量推測部（64）が推測した風量とに基づいて上記フィルタ部材（27,28）の目詰まりの状態を検出する。
【００１５】
第４の発明では、吸気温度検出手段（65）の検出値及び上記給気温度検出手段（66）の検出値から吸着剤に接触する前後における空気の温度変化量が導かれる。上述したように、吸着剤に接触する前後における空気の温度変化量からは、吸着剤に接触する空気の風量すなわちフィルタ部材（27,28）を通過する空気の風量が推測される。従って、フィルタ部材（27,28）の目詰まりの状態が、フィルタ部材（27,28）を通過する空気の風量から検出される。
【００１６】
第５の発明は、第１乃至第４の発明において、吸着剤を担持する吸着熱交換器（51,52）が接続されて冷凍サイクルを行う冷媒回路（50）を備え、該冷媒回路（50）の冷媒により上記吸着熱交換器（51,52）の吸着剤を加熱し又は冷却して該吸着剤に接触する空気の湿度及び温度を調節する。
【００１７】
第５の発明では、吸着熱交換器（51,52）が冷媒回路（50）の冷媒により加熱されると吸着剤からは水分が脱離し、吸着熱交換器（51,52）が冷媒回路（50）の冷媒により冷却されると吸着剤は水分を吸着する。これにより、加熱された吸着熱交換器（51,52）に接触する空気は加湿され、冷却された吸着熱交換器（51,52）に接触する空気は除湿される。
【発明の効果】
【００１８】
本発明では、フィルタ部材（27,28）の目詰まりの状態は、吸着剤に接触する前後における空気の湿度変化量（温度変化量）に影響を与えるので、吸気湿度検出手段（65）の検出値及び上記給気湿度検出手段（66）の検出値（吸気温度検出手段（65）の検出値及び上記給気温度検出手段（66）の検出値）に基づいてフィルタ部材（27,28）の目詰まりの状態が検出している。ここで、吸気湿度検出手段（65）及び給気湿度検出手段（66）（吸気温度検出手段（65）及び上記給気温度検出手段（66））は、調湿装置（10）の運転状態の制御に用いるものである。この発明では、調湿装置（10）の運転状態の制御に用いる吸気湿度検出手段（65）及び給気湿度検出手段（66）（吸気温度検出手段（65）及び上記給気温度検出手段（66））を、フィルタ部材（27,28）の目詰まりの状態の検出にも利用している。これにより、フィルタ部材（27,28）の目詰まりを検出するために別途センサを設ける必要がなくなるので、調湿装置（10）の構成を複雑化させずにフィルタ部材（27,28）の状態を検出することができる。
【発明を実施するための最良の形態】
【００１９】
本発明の実施形態について説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２０】
〈調湿装置の全体構成〉
上記調湿装置（10）について、図１及び図２を参照しながら説明する。尚、ここでの説明で用いる「上」「下」「左」「右」「前」「後」「手前」「奥」は、特にことわらない限り、上記調湿装置（10）を前面側から見た場合の方向を意味している。
【００２１】
上記調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００２２】
上記ケーシング（11）は、やや扁平で高さが比較的低い直方体状に形成されている。このケーシング（11）では、図１における左手前側に前面パネル（12）が、同図における右奥側に背面パネル（13）がそれぞれ立設されており、同図における左手前から右奥へ向かう方向の長さと右手前から左奥へ向かう方向の長さがほぼ等しくなっている。
【００２３】
ケーシング（11）の前面パネル（12）では、左寄りの位置に排気口（21）が、右寄りの位置に給気口（22）がそれぞれ開口している。ケーシング（11）の背面パネル（13）の中央部には上寄りの位置に外気吸込口（23）が、下寄りのの位置に内気吸込口（24）がそれぞれ開口している。
【００２４】
上記ケーシング（11）の内部空間は、前面パネル（12）側の比較的容積が小さい空間と、背面パネル（13）側の比較的容積が大きい空間とに区画されている。
【００２５】
上記ケーシング（11）内における前面パネル（12）側の空間は、左右２つの空間に仕切られている。この左右に仕切られた空間は、左側の空間が排気ファン室（35）を、右側の空間が給気ファン室（36）をそれぞれ構成している。排気ファン室（35）は、排気口（21）を介して室外空間と連通している。この排気ファン室（35）には排気ファン（25）が収容されており、排気ファン（25）の吹出口が排気口（21）に接続されている。一方、給気ファン室（36）は、給気口（22）を介して室内空間と連通している。この給気ファン室（36）には、給気ファン（26）が収容されており、給気ファン（26）の吹出口が給気口（22）に接続されている。また、給気ファン室（36）には、圧縮機（53）も収容されている。
【００２６】
一方、上記ケーシング（11）内の背面パネル（13）側の空間は、ケーシング（11）内に立設された第１仕切板（16）及び第２仕切板（17）によって前後３つの空間に仕切られている。これら仕切板（16,17）は、ケーシング（11）の左右方向に延びている。第１仕切板（16）はケーシング（11）の背面寄りに、第２仕切板（17）はケーシング（11）の前面寄りにそれぞれ配置されている。
【００２７】
上記ケーシング（11）内において、第１仕切板（16）の奥の空間は上下２つの空間に仕切られており、上側の空間が外気側流路（32）を、下側の空間が内気側流路（34）をそれぞれ構成している。外気側流路（32）は、外気吸込口（23）を介して室外空間と連通している。外気側流路（32）には、左右に延びてその流路（32）を前後に区画するフィルタ部材である外気側フィルタ（27）が設けられている。内気側流路（34）は内気吸込口（24）を介して室内と連通している。内気側流路（34）には、左右に延びてその流路（34）を前後に区画するフィルタ部材である内気側フィルタ（28）が設けられている。
【００２８】
一方、第２仕切板（17）の手前の空間は上下２つの空間に仕切られており、上側の空間が排気側流路（31）を、下側の空間が給気側流路（33）を構成している。排気側流路（31）は、排気ファン室（35）と連通している。給気側流路（33）は、給気ファン室（36）と連通している。
【００２９】
第１仕切板（16）と第２仕切板（17）との間の空間は、更に中央仕切板（18）によって左右２つの空間に仕切られている。そして、中央仕切板（18）の右側の空間が第１熱交換器室（37）を構成し、その左側の空間が第２熱交換器室（38）を構成している。第１熱交換器室（37）には第１吸着熱交換器（51）が、第２熱交換器室（38）には第２吸着熱交換器（52）がそれぞれ収容されている。これら２つの吸着熱交換器（51,52）は、それぞれが収容される熱交換器室（37,38）を左右方向へ横断するように配置されている。
【００３０】
上記第１仕切板（16）には、開閉式のダンパ（41〜44）が４つ設けられている。具体的に、第１仕切板（16）では、右側の上部に第１ダンパ（41）が、左側の上部に第２ダンパ（42）が、右側の下部に第３ダンパ（43）が、左側の下部に第４ダンパ（44）がそれぞれ取り付けられている。第１ダンパ（41）を開くと、外気側流路（32）と第１熱交換器室（37）が連通する。第２ダンパ（42）を開くと、外気側流路（32）と第２熱交換器室（38）が連通する。第３ダンパ（43）を開くと、内気側流路（34）と第１熱交換器室（37）が連通する。第４ダンパ（44）を開くと、内気側流路（34）と第２熱交換器室（38）が連通する。
【００３１】
上記第２仕切板（17）には、開閉式のダンパ（45〜48）が４つ設けられている。具体的に、第２仕切板（17）では、右側の上部に第５ダンパ（45）が、左側の上部に第６ダンパ（46）が、右側の下部に第７ダンパ（47）が、左側の下部に第８ダンパ（48）がそれぞれ取り付けられている。第５ダンパ（45）を開くと、排気側流路（31）と第１熱交換器室（37）が連通する。第６ダンパ（46）を開くと、排気側流路（31）と第２熱交換器室（38）が連通する。第７ダンパ（47）を開くと、給気側流路（33）と第１熱交換器室（37）が連通する。第８ダンパ（48）を開くと、給気側流路（33）と第２熱交換器室（38）が連通する。
【００３２】
また、この調湿装置（10）には、調湿装置（10）が室外から取り込む室外空気（OA）の温度及び湿度をそれぞれ計測する外気温度センサ（65a）及び外気湿度センサ（65b）が、外気側流路（32）の外気側フィルタ（27）の後側に設けられている。外気温度センサ（65a）及び外気湿度センサ（65b）は、本発明に係る吸気湿度検出手段を構成している。また、調湿装置（10）から室内へ供給される供給空気（SA）の温度及び湿度をそれぞれ計測する給気温度センサ（66a）及び給気湿度センサ（66b）が、給気側流路（33）に設けられている。給気温度センサ（66a）及び給気湿度センサ（66b）は、本発明に係る給気湿度検出手段を構成している。また、調湿装置（10）が室内から取り込む室内空気（RA）の温度及び湿度をそれぞれ計測する内気温度センサ（67a）及び内気湿度センサ（67b）が内気側流路（34）の内気側フィルタ（28）の後側に設けられている。これらのセンサ（65,66,67）の検出値は、制御部（60）に送信される。
【００３３】
〈冷媒回路の構成〉
上記冷媒回路（50）について、図３を参照しながら説明する。
【００３４】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００３５】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００３６】
上記四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００３７】
図４に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００３８】
上記各吸着熱交換器（51,52）では、各フィン（57）の表面に吸着剤が担持されており、フィン（57）の間を通過する空気がフィン（57）に担持された吸着剤と接触する。この吸着剤としては、ゼオライト、シリカゲル、活性炭、親水性の官能基を有する有機高分子材料など、空気中の水蒸気を吸着できるものが用いられる。
【００３９】
<制御部の構成>
この調湿装置（10）の制御部（60）には、排気ファン（25）及び給気ファン（26）の風量を制御するファン制御部（61）と、調湿装置（10）の調湿能力を調節するために冷媒回路（50）の冷凍サイクルの状態を制御する調湿制御部（62）と、外気側フィルタ（27）の目詰まりの状態を検出するフィルタ状態検出手段であるフィルタ状態検出部（63）とが設けられている。フィルタ状態検出部（63）には、外気側フィルタ（27）を通過する空気の風量Ｑを推測する風量推測部（64）が設けられている。
【００４０】
ファン制御部（61）には、給気ファン（26）及び排気ファン（25）の風量を３段階（例えば「大」「中」「小」）に調節可能な設定ファンタップが設けられている。給気ファン（26）及び排気ファン（25）は、設定ファンタップの設定状態によってファンモータ出力が決められている。つまり、ファン（26,27）の設定ファンタップがある設定状態（例えば「大」）にあるときは、ファンモータ出力がその設定状態に対応する所定値に固定される。なお、設定ファンタップの設定状態によって、ファンモータの回転速度を決定するようにしてもよい。
【００４１】
調湿制御部（62）には、図示しないが、ユーザーが希望の室内湿度を入力する湿度入力部と、ユーザーが希望の室内温度を入力する温度入力部とが設けられている。
【００４２】
湿度入力部は、希望の室内湿度を「低」「中」「高」の３段階の中から選択可能に構成されている。調湿制御部（62）には、「低」「中」「高」のそれぞれに対応する相対湿度の範囲が予め設定されている。湿度入力部に「低」「中」「高」の何れかが入力されていると、調湿制御部（62）は、その入力に対応する相対湿度の範囲を目標湿度（例えば５０％〜６０％）に設定する。また、調湿制御部（62）は、温度入力部に希望の室内温度が入力されていると、その希望の室内温度を目標温度（例えば２５℃）に設定する。
【００４３】
調湿制御部（62）は、図示しないが演算部を備えている。演算部は、目標湿度及び目標温度からその温度と湿度における絶対湿度を算出する。調湿制御部（62）は、演算部で算出した絶対湿度を目標絶対湿度に設定し、室内の絶対湿度が目標絶対湿度に近づくように調湿装置（10）の調湿能力を調節する。
【００４４】
フィルタ状態検出部（63）は、風量推測部（64）で外気側フィルタ（27）を通過する空気の風量Ｑを推測し、その推測した風量Ｑに基づいて外気側フィルタ（27）の目詰まりの状態を検出する。
【００４５】
風量推測部（64）には、外気側フィルタ（27）を通過する空気の風量Ｑを推測するために、式１に示すデータべース関数が記憶されている。
【００４６】
式１：Ｘsa＝Ｊ（Ｘoa,Ｑ,Ｆ）＋Ｋ
上記式１において、Ｘsaは供給空気（SA）の絶対湿度、Ｘoaは室外空気（OA）の絶対湿度、Ｑは外気側フィルタ（27）を通過する空気の風量、Ｆは圧縮機（53）の運転周波数、Ｋはダクトによる圧力損失や換気装置（10）を設置する室内空間の特性を考慮した補正値をそれぞれ表している。なお、外気側フィルタ（27）を通過する空気の風量Ｑは、給気ファン（26）によって室内へ供給される風量とほぼ一致すると考えて差し支えない。
【００４７】
上記式１のデータベース関数は、供給空気（SA）の絶対湿度Ｘsaを、室外空気（OA）の絶対湿度Ｘoaと、外気側フィルタ（27）を通過する空気の風量Ｑと、圧縮機（53）の運転周波数Ｆとの関数として表現したものである。この式１のデータベース関数は、換気装置（10）の設計時に式２のデータベース関数を作成し、換気装置（10）を設置する際にＫの値を決定したものである。
【００４８】
式２：Ｘsa＝Ｊ（Ｘoa,Ｑ,Ｆ）
式２のデータベース関数は、外気側フィルタ（27）の初期状態（換気装置（10）を設置した直後や外気側フィルタ（27）を洗浄又は交換した直後の汚れが付着していない状態）において、給気ファン（26）の風量や、圧縮機（53）の運転周波数Ｆや、外気吸込口（23）から取り込まれる室外空気（OA）の状態を変化させながら、内気吸込口（24）から吹き出される供給空気（SA）の状態を計測することにより作成している。その際、室外空気（OA）の絶対湿度Ｘoaは、風量推測部（64）が外気温度センサ（65a）及び外気湿度センサ（65b）の検出値から計算している。供給空気（SA）の絶対湿度Ｘsaは、風量推測部（64）が給気温度センサ（66a）及び給気湿度センサ（66b）の検出値から計算している。
【００４９】
ところで、外気側フィルタ（27）を通過する空気の風量Ｑ（すなわち吸着熱交換器（51,52）の吸着剤に接触する空気の風量）が変化すると、吸着熱交換器（51,52）を通過する空気の湿度変化量が変化する。具体的に、風量Ｑが減少すると、それに伴って吸着剤と接触する際の風速が低下する。風速が低下すると空気流の乱れも小さくなるため、空気と吸着剤との間で授受される水分量すなわち吸着熱交換器（51,52）を通過する空気の湿度変化量が減少してしまう。このように、外気側フィルタ（27）を通過する空気の風量Ｑと、吸着熱交換器（51,52）を通過する空気の湿度変化量との間には相関がある。また、圧縮機（53）の運転周波数を変えても、吸着熱交換器（51,52）における冷媒の蒸発温度又は凝縮温度が変化して吸着剤に接触する空気の温度を変化させるので、吸着熱交換器（51,52）を通過する空気の湿度変化量が変化する。そこで、この式２のデータベース関数では、外気側フィルタ（27）を通過する空気の風量Ｑと圧縮機（53）の運転周波数Ｆとに対する吸着熱交換器（51,52）を通過する空気の湿度変化量の関係をデータベース化している。
【００５０】
また、換気装置（10）を設置する際のダクトの長さや形状は、設置場所ごとに異なり、ダクトの圧力損失も設置場所ごとに異なる。このため、給気ファン（26）の設定ファンタップが同じ設定状態でも、給気ファン（26）の風量は、設置場所ごとに異なる。また、この換気装置（10）では、室内から取り込む室内空気（RA）の温度及び湿度によって室内への供給空気（SA）の温度又は湿度が変化する。具体的に、換気装置（10）が室内から取り込む室内空気（RA）の温度又は湿度が変化すると、吸着熱交換器（51,52）での冷媒の吸熱量や吸着剤の水分の吸着量が変化し、それに応じて換気装置（10）の運転状態も変化するので、室内への供給空気（SA）の温度又は湿度が変化する。このため、ダクトによる圧力損失と換気装置（10）を設置する室内空間の特性とを考慮したＫを定め、これらの影響を排除している。
【００５１】
式２のデータベース関数は、調湿装置（10）の設置状態における外気側フィルタ（27）を通過する空気の風量Ｑと圧縮機（53）の運転周波数Ｆとに対する吸着熱交換器（51,52）を通過する空気の湿度変化量の関係を表している。この式２のデータベース関数によれば、室外空気（OA）の絶対湿度Ｘoa及び供給空気（SA）の絶対湿度Ｘsaと圧縮機（53）の運転周波数Ｆとから、外気側フィルタ（27）を通過する空気の風量Ｑを推測することができる。
【００５２】
風量推測部（64）は、給気ファン（26）の設定ファンタップを例えば「中」に設定して、式１を用いて初期状態の外気側フィルタ（27）を通過する空気の風量Ｑ(0)を推測する。その際、圧縮機（53）の運転周波数Ｆの情報は、調湿制御部（62）から風量推測部（64）へ伝達される。推測した風量Ｑ(0)は、フィルタ状態検出部（63）に記憶される。
【００５３】
フィルタ状態検出部（63）は、毎日所定の時刻（例えば午後０時）になると、風量推測部（64）が外気側フィルタ（27）を通過する空気の風量Ｑを推測する。フィルタ状態検出部（63）は、風量推測部（64）で推測した外気側フィルタ（27）を通過する空気の風量Ｑを上記風量Ｑ(0)と比較して外気側フィルタ（27）の目詰まりの状態を検出する。そして、外気側フィルタ（27）を交換する必要がある場合には、「フィルタ交換サイン」を表示する。フィルタ状態検出部（63）の動作についての詳細は後述する。
【００５４】
−運転動作−
本実施形態の調湿装置（10）では、除湿運転又は加湿運転を行うものである。除湿運転中や加湿運転中の調湿装置（10）は、取り込んだ室外空気（OA）を湿度調節してから供給空気（SA）として室内へ供給すると同時に、取り込んだ室内空気（RA）を排出空気（EA）として室外へ排出する。
【００５５】
〈除湿運転〉
除湿運転中の調湿装置（10）では、後述する第１動作と第２動作が所定の時間間隔（例えば３分間隔）で交互に繰り返される。
【００５６】
まず、除湿運転の第１動作について説明する。図５に示すように、この第１動作中には、第２ダンパ（42）、第３ダンパ（43）、第５ダンパ（45）、及び第８ダンパ（48）だけが開状態となり、残りのダンパ（41,44,46,47）が閉状態となる。そして、この状態で調湿装置（10）の給気ファン（26）及び排気ファン（25）が運転される。給気ファン（26）を運転すると、室外空気が外気吸込口（23）からケーシング（11）内へ第１空気として取り込まれる。排気ファン（25）を運転すると、室内空気が内気吸込口（24）からケーシング（11）内へ第２空気として取り込まれる。
【００５７】
この第１動作中の冷媒回路（50）では、図３(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【００５８】
外気吸込口（23）から外気側流路（32）へ流入した第１空気は、第２ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第８ダンパ（48）を通って給気側流路（33）へ流入し、給気ファン室（36）を通過後に給気口（22）を通って室内へ供給される。
【００５９】
一方、内気吸込口（24）から内気側流路（34）へ流入した第２空気は、第３ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第５ダンパ（45）を通って排気側流路（31）へ流入し、排気ファン室（35）を通過後に排気口（21）を通って室外へ排出される。
【００６０】
除湿運転の第２動作について説明する。図６に示すように、この第２動作中には、第１ダンパ（41）、第４ダンパ（44）、第６ダンパ（46）、及び第７ダンパ（47）だけが開状態となり、残りのダンパ（42,43,45,48）が閉状態となる。
【００６１】
この第２動作中の冷媒回路（50）では、図３(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第１吸着熱交換器（51）が蒸発器となって第２吸着熱交換器（52）が凝縮器となる。
【００６２】
外気吸込口（23）から外気側流路（32）へ流入した第１空気は、第１ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第７ダンパ（47）を通って給気側流路（33）へ流入し、給気ファン室（36）を通過後に給気口（22）を通って室内へ供給される。
【００６３】
一方、内気吸込口（24）から内気側流路（34）へ流入した第２空気は、第４ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第６ダンパ（46）を通って排気側流路（31）へ流入し、排気ファン室（35）を通過後に排気口（21）を通って室外へ排出される。
【００６４】
〈加湿運転〉
加湿運転中の調湿装置（10）では、後述する第１動作と第２動作が所定の時間間隔（例えば３分間隔）で交互に繰り返される。
【００６５】
まず、加湿運転の第１動作について説明する。図７に示すように、この第１動作中には、第１ダンパ（41）、第４ダンパ（44）、第６ダンパ（46）、及び第７ダンパ（47）だけが開状態となり、残りのダンパ（42,43,45,48）が閉状態となる。そして、この状態で調湿装置（10）の給気ファン（26）及び排気ファン（25）が運転される。給気ファン（26）を運転すると、室外空気が外気吸込口（23）からケーシング（11）内へ第１空気として取り込まれる。排気ファン（25）を運転すると、室内空気が内気吸込口（24）からケーシング（11）内へ第２空気として取り込まれる。
【００６６】
この第１動作中の冷媒回路（50）では、図３(Ａ)に示すように、四方切換弁（54）が第１状態に設定される。そして、この冷媒回路（50）では、除湿運転の第１動作中と同様に、第１吸着熱交換器（51）が凝縮器となって第２吸着熱交換器（52）が蒸発器となる。
【００６７】
内気吸込口（24）から内気側流路（34）へ流入した第１空気は、第４ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第６ダンパ（46）を通って排気側流路（31）へ流入し、排気ファン室（35）を通過後に排気口（21）を通って室外へ排出される。
【００６８】
一方、外気吸込口（23）から外気側流路（32）へ流入した第２空気は、第１ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第７ダンパ（47）を通って給気側流路（33）へ流入し、給気ファン室（36）を通過後に給気口（22）を通って室内へ供給される。
【００６９】
加湿運転の第２動作について説明する。図８に示すように、この第２動作中には、第２ダンパ（42）、第３ダンパ（43）、第５ダンパ（45）、及び第８ダンパ（48）だけが開状態となり、残りのダンパ（41,44,46,47）が閉状態となる。
【００７０】
この第２動作中の冷媒回路（50）では、図３(Ｂ)に示すように、四方切換弁（54）が第２状態に設定される。そして、この冷媒回路（50）では、除湿運転の第２動作中と同様に、第１吸着熱交換器（51）が蒸発器となって第２吸着熱交換器（52）が凝縮器となる。
【００７１】
内気吸込口（24）から内気側流路（34）へ流入した第１空気は、第３ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第５ダンパ（45）を通って排気側流路（31）へ流入し、排気ファン室（35）を通過後に排気口（21）を通って室外へ排出される。
【００７２】
一方、外気吸込口（23）から外気側流路（32）へ流入した第２空気は、第２ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第８ダンパ（48）を通って給気側流路（33）へ流入し、給気ファン室（36）を通過後に給気口（22）を通って室内へ供給される。
【００７３】
<制御部の動作>
制御部（60）の動作について説明する。
【００７４】
制御部（60）の調湿制御部（62）は、ユーザーが希望する室内湿度になるように圧縮機（53）の運転周波数などを制御する。また、フィルタ状態検出部（63）は、毎日所定の時刻になると外気側フィルタ（27）の目詰まりの状態を検出する。
【００７５】
調湿制御部（62）の動作について説明する。調湿制御部（62）は、ユーザーが希望の室内湿度及び室内温度を入力すると、その湿度を目標湿度に設定し、その温度を目標温度に設定する。そして、調湿制御部（62）は、演算部で目標温度及び目標湿度からその温度と湿度における絶対湿度を算出し、その算出した絶対湿度を目標絶対湿度に設定する。また、演算部は、外気温度センサ（65a）及び外気湿度センサ（65b）の検出値から室外空気（OA）の絶対湿度を算出する。さらに、演算部は、内気温度センサ（67a）及び内気湿度センサ（67b）の検出値から室内空気（RA）の絶対湿度を算出する。さらに、演算部は、給気温度センサ（66a）及び給気湿度センサ（66b）の検出値から供給空気（SA）の絶対湿度を算出する。
【００７６】
調湿制御部（62）は、室外空気（OA）、室内空気（RA）及び供給空気（SA）の絶対湿度と上記目標絶対湿度とに基づいて、室内の絶対湿度が目標絶対湿度に近づくように調湿装置（10）の調湿能力を制御する。この調湿装置（10）の調湿能力の制御は、例えば圧縮機（63）の運転周波数を変更して冷媒循環量を変化させることによって行われる。
【００７７】
フィルタ状態検出部（63）の動作について、図９のフロー図を参照しながら説明する。フィルタ状態検出部（63）が外気側フィルタ（27）の目詰まりの状態を検出する際は、ファン制御部（61）が給気ファン（26）の設定ファンタップを風量Ｑ(0)を推測した時と同じ状態に設定する。
【００７８】
まずステップST1で、フィルタ状態検出部（63）の風量推測部（64）は、外気温度センサ（65a）及び外気湿度センサ（65b）の検出値と給気温度センサ（66a）及び給気湿度センサ（66b）の検出値とを受信し、室外空気（OA）の絶対湿度Ｘoa及び給気空気（SA）の絶対湿度Ｘsaを計算する。ステップST1が終了するとステップST2に移行する。
【００７９】
ステップST2では、風量推測部（64）が、調湿制御部（62）から圧縮機（53）の運転周波数Ｆの情報を受け取る。そして、風量推測部（64）が、室外空気（OA）の絶対湿度Ｘoa及び給気空気（SA）の絶対湿度Ｘsaと圧縮機（53）の運転周波数Ｆとから上記式１を用いて外気側フィルタ（27）を通過する空気の風量Ｑを推測する。ステップST2が終了するとステップST3に移行する。
【００８０】
ステップST3では、フィルタ状態検出部（63）が、推測した風量Ｑを外気側フィルタ（27）の初期状態の風量Ｑ(0)と比較する。そして、フィルタ状態検出部（63）は、式３の条件が成立するとステップST4に移行して「フィルタ交換サイン」を表示する。Ｌは予め設定された定数を表している。ステップST3で式３の条件が成立しない場合とステップST4が終了した場合は、フィルタ状態検出部（63）による外気側フィルタ（27）の目詰まりの状態の検出が終了する。
【００８１】
式３：Ｑ≦Ｑ(0)×Ｌ
フィルタ状態検出部（63）は、毎日所定の時刻になると外気側フィルタ（27）の目詰まりの状態を検出する。そして、式３の条件が成立する場合に「フィルタ交換サイン」を表示する。例えばＬ＝0.9の場合は、フィルタ状態検出部（63）によって検出される外気側フィルタ（27）を通過する空気の風量Ｑが、外気側フィルタ（27）の初期状態における風量Ｑ(0)の90％以下まで低下すると「フィルタ交換サイン」が表示される。
【００８２】
−実施形態の効果−
上記実施形態では、外気側フィルタ（27）の目詰まりの状態が、吸着剤に接触する前後における空気の湿度変化量に影響を与えるので、室外空気（OA）の絶対湿度及び供給空気（SA）の絶対湿度に基づいて外気側フィルタ（27）の目詰まりの状態が検出している。室外空気（OA）の絶対湿度は、外気温度センサ（65a）及び外気湿度センサ（65b）に基づいて計算され、供給空気（SA）の絶対湿度は、給気温度センサ（66a）及び給気湿度センサ（66b）に基づいて計算される。ところで、これらの温度又は湿度センサ（65,66）は、調湿装置（10）の運転状態の制御に用いられている。この実施形態では、調湿装置（10）の運転状態の制御に用いる温度又は湿度センサ（65,66）を、外気側フィルタ（27）の目詰まりの状態の検出にも利用している。これにより、外気側フィルタ（27）の目詰まりを検出するために別途センサを設ける必要がなくなるので、調湿装置（10）の構成を複雑化させずにフィルタ部材（27,28）の状態を検出することができる。
【００８３】
−実施形態の変形例１−
実施形態の変形例１について説明する。この変形例１では、風量推測部（64）が室外空気（OA）の温度及び供給空気（SA）の温度から外気側フィルタ（27）を通過する空気の風量Ｑを推測している。
【００８４】
具体的に、風量推測部（64）には、式４に示すデータべース関数が記憶されている。この式４のデータべース関数は、上記実施形態と同様に、換気装置（10）の設計時にデータベース関数「Ｔsa＝Ｊ（Ｔoa,Ｑ,Ｆ）」を作成し、換気装置（10）を設置する際にＫの値を決定したものである。
【００８５】
式４：Ｔsa＝Ｊ（Ｔoa,Ｑ,Ｆ）＋Ｋ
上記式４において、Ｔsaは供給空気（SA）の温度、Ｔoaは室外空気（OA）の温度、Ｑは外気側フィルタ（27）を通過する空気の風量、Ｆは圧縮機（53）の運転周波数、Ｋはダクトによる圧力損失や調湿装置（10）を設置する室内空間の特性を考慮した補正値をそれぞれ表している。
【００８６】
ところで、外気側フィルタ（27）を通過する空気の風量Ｑ（すなわち吸着熱交換器（51,52）の吸着剤に接触する空気の風量）が変化すると、吸着熱交換器（51,52）を通過する空気の温度変化量が変化する。具体的に、風量Ｑが減少すると、それに伴って吸着剤と接触する際の風速が低下する。風速が低下すると空気流の乱れも小さくなるため、空気と吸着剤との間の熱交換量すなわち吸着熱交換器（51,52）を通過する空気の温度変化量が減少してしまう。このように、外気側フィルタ（27）を通過する空気の風量Ｑと、吸着熱交換器（51,52）を通過する空気の温度変化量との間には相関がある。また、圧縮機（53）の運転周波数を変えても、吸着熱交換器（51,52）における冷媒の蒸発温度又は凝縮温度が変化するので、吸着熱交換器（51,52）を通過する空気の温度変化量が変化する。そこで、この式４のデータベース関数では、外気側フィルタ（27）を通過する空気の風量Ｑと圧縮機（53）の運転周波数Ｆとに対する吸着熱交換器（51,52）を通過する空気の温度変化量の関係をデータベース化している。
【００８７】
この式４によれば、室外空気（OA）の温度Ｔoa及び供給空気（SA）の温度Ｔsaと圧縮機（53）の運転周波数Ｆとから外気側フィルタ（27）を通過する空気の風量Ｑが推測される。
【００８８】
−実施形態の変形例２−
実施形態の変形例２について説明する。この変形例２では、風量推測部（64）は設けられておらず、室外空気（OA）の絶対湿度Ｘoaと供給空気（SA）の絶対湿度Ｘsaとに基づいて外気側フィルタ（27）の目詰まりの状態を検出する。
【００８９】
具体的に、フィルタ状態検出部（63）には、外気側フィルタ（27）の初期状態における吸着熱交換器（51,52）を通過する空気の湿度変化量が、圧縮機（53）の運転周波数Ｆに対してデータベースとして記憶されている。このデータベースは、圧縮機（53）の運転周波数Ｆや、室外空気（OA）の空気の状態を変化させながら供給空気（SA）の状態を計測することにより作成している。その際、室外空気（OA）の絶対湿度Ｘoaと供給空気（SA）の絶対湿度Ｘsaとは、上記実施形態と同様に風量推測部（64）が計算している。
【００９０】
外気側フィルタ（27）の目詰まりが進行すると、給気ファン（26）の風量（すなわち吸着熱交換器（51,52）を通過する空気の風量）が低下するので、データベース作成時に比べて吸着熱交換器（51,52）を通過する空気の湿度変化量が小さくなる。
【００９１】
フィルタ状態検出部（63）は、検出時点での吸着熱交換器（51,52）を通過する空気の湿度変化量と外気側フィルタ（27）の初期状態の湿度変化量との差が設定値を上回ると「フィルタ交換サイン」を表示する。
【００９２】
《その他の実施形態》
上記実施形態は、以下の変形例のように構成してもよい。
【００９３】
−第１変形例−
上記実施形態について、フィルタ交換後の換気装置（10）の運転積算時間を計測するタイマを設け、そのタイマの計測時間が所定の時間に達すると、フィルタ状態検出部（63）によって検出される外気側フィルタ（27）の目詰まりの状態が「フィルタ交換サイン」を表示するまでに至っていなくても「フィルタ交換サイン」をようにしてもよい。このタイマは、外気側フィルタ（27）の交換判定の足切りに用いられる。
【００９４】
−第２変形例−
上記実施形態について、全熱交換器による調湿装置（10）において、外気温度センサ（65a）及び外気湿度センサ（65b）の検出値と給気温度センサ（66a）及び給気湿度センサ（66b）の検出値とに基づいてフィルタ部材（27）の目詰まりの状態を検出するようにしてもよい。
【００９５】
また、上記実施形態について、換気を行わない調湿装置（10）において、内気温度センサ（67a）及び内気湿度センサ（67b）の検出値と給気温度センサ（66a）及び給気湿度センサ（66b）の検出値とに基づいてフィルタ部材（27）の目詰まりの状態を検出するようにしてもよい。内気温度センサ（67a）及び内気湿度センサ（67b）は、本発明に係る吸気湿度検出手段を構成し、給気温度センサ（66a）及び給気湿度センサ（66b）は、本発明に係る給気湿度検出手段を構成している。
【００９６】
−第３変形例−
上記実施形態では、調湿装置（10）が次のように構成されていてもよい。図１０に示すように、第１変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。この冷媒回路（100）は、熱源手段を構成している。第１吸着素子（111）及び第２吸着素子（112）は、ゼオライト等の吸着剤を備えており、それぞれ吸着部材を構成している。また、各吸着素子（111,112）には多数の空気通路が形成されており、この空気通路を通過する際に空気が吸着剤と接触する。
【００９７】
この調湿装置（10）は、第１動作と第２動作を繰り返す。図１０(Ａ)に示すように、第１動作中の調湿装置（10）は、凝縮器（102）で加熱された空気を第１吸着素子（111）へ供給して吸着剤を再生する一方、第２吸着素子（112）に水分を奪われた空気を蒸発器（104）で冷却する。また、図１０(Ｂ)に示すように、第２動作中の調湿装置（10）は、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【００９８】
−第４変形例−
上記実施形態では、調湿装置（10）が次のように構成されていてもよい。図１１に示すように、第２変形例の調湿装置（10）は、調湿ユニット（150）を備えている。この調湿ユニット（150）は、ペルチェ素子（153）と一対の吸着フィン（151,152）とを備えている。吸着フィン（151,152）は、いわゆるヒートシンクの表面にゼオライト等の吸着剤を担持させたものである。この吸着フィン（151,152）は、吸着部材を構成している。ペルチェ素子（153）は、その一方の面に第１吸着フィン（151）が、他方の面に第２吸着フィン（152）がそれぞれ接合されている。ペルチェ素子（153）に直流を流すと、２つの吸着フィン（151,152）の一方が吸熱側になって他方が放熱側になる。このペルチェ素子（153）は、熱源手段を構成している。
【００９９】
この調湿装置（10）は、第１動作と第２動作を繰り返す。第１動作中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１動作中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【０１００】
なお、以上の実施形態は、本質的に好ましい例示であって、本発明、その適用物、あるいはその用途の範囲を制限することを意図するものではない。
【産業上の利用可能性】
【０１０１】
以上説明したように、本発明は、室内の湿度調節を行うための調湿装置について有用である。
【図面の簡単な説明】
【０１０２】
【図１】実施形態の調湿装置の構成を示す斜視図である。
【図２】実施形態の調湿装置の概略構成を示す平面視、右側面視、及び左側面視の構成図である。
【図３】実施形態の冷媒回路の構成を示す配管系統図であって、(Ａ)は第１動作中の動作を示すものであり、(Ｂ)は第２動作中の動作を示すものである。
【図４】吸着熱交換器の概略斜視図である。
【図５】除湿運転における第１動作中の空気の流れを示す調湿装置の概略構成図である。
【図６】除湿運転における第２動作中の空気の流れを示す調湿装置の概略構成図である。
【図７】加湿運転における第１動作中の空気の流れを示す調湿装置の概略構成図である。
【図８】加湿運転における第２動作中の空気の流れを示す調湿装置の概略構成図である。
【図９】実施形態におけるフィルタ状態検出部の動作の流れを示すフロー図である。
【図１０】その他の実施形態の第３変形例における調湿装置の概略構成図であって、(Ａ)は第１動作中の動作を示すものであり、(Ｂ)は第２動作中の動作を示すものである。
【図１１】その他の実施形態の第４変形例における調湿ユニットの概略斜視図である。
【符号の説明】
【０１０３】
10  調湿装置
27  外気側フィルタ（フィルタ部材）
28  内気側フィルタ（フィルタ部材）
50  冷媒回路
51  第１吸着熱交換器（吸着熱交換器）
52  第２吸着熱交換器（吸着熱交換器）
63  フィルタ状態検出部（フィルタ状態検出手段）
64  風量推測部
65a 外気湿度センサ（吸気湿度検出手段）
65b 外気温度センサ（吸気湿度検出手段）
66a 給気湿度センサ（給気湿度検出手段）
66b 給気温度センサ（給気湿度検出手段）
【図１】
2007010231.tif 000003
【図２】
2007010231.tif 000004
【図３】
2007010231.tif 000005
【図４】
2007010231.tif 000006
【図５】
2007010231.tif 000007
【図６】
2007010231.tif 000008
【図７】
2007010231.tif 000009
【図８】
2007010231.tif 000010
【図９】
2007010231.tif 000011
【図１０】
2007010231.tif 000012
【図１１】
2007010231.tif 000013